(57)【要約】【課題】ＥＰＩシーケンスにおける傾斜誘起された交差項磁場の測定および補正【解決手段】磁気共鳴イメージング（ＭＲＩ）システムにおける傾斜誘起された交差項磁場を決定するための方法であって、被検体（対象）を静磁場内に配置する工程と、前記被検体のスライスを空間的に選択するラジオ周波数（ＲＦ）励起パルスを印加する工程と、前記スライスの位相に平行な位相エンコード傾斜磁場方向に沿ってインクリメントされる位相エンコード傾斜磁場を印加する工程と、前記スライスにおけるライン（線状部位）を選択するための選択ＲＦリフォーカスパルスを印加する工程と、交差項磁場を引き起こす、スイッチされた読み出し磁場勾配を印加する工程と、前記選択されたラインに沿う位相エンコード勾配および対応するサンプルデータ点のデータアレイを生成することと、前記選択されたラインについて傾斜誘起された交差項磁場を示す中心周波数分布（ＣＦ）を決定することを含む方法が開示される。【選択図】図６
2007117765.tif 000002
【特許請求の範囲】
【請求項１】
磁気共鳴イメージング（ＭＲＩ）システムにおける勾配誘起された交差項磁場を決定するための装置であって：
ａ．被検体が中に配置される静磁場を形成する手段と、
ｂ．前記被検体のスライスの原子核を空間的に飽和させるラジオ周波数（ＲＦ）飽和パルスを被検体に印加する手段と、
ｃ．前記ラジオ周波数（ＲＦ）飽和パルスが被検体に印加された後に、前記被検体のスライスの画像を形成するためにエコープラナーイメージング（ＥＰＩ）シーケンスを適用する手段と
を具備する装置。
【請求項２】
前記ＲＦ飽和スライスは、前記ＥＰＩシーケンスの読み出し方向と位相エンコード方向の間に配置される請求項１に記載の装置。
【請求項３】
前記ＲＦ飽和スライスは、前記被検体のスライスの画像において暗い飽和ラインとしてあらわれ、且つ交差磁場補正係数を与えるべく飽和ラインの空間分布を分析する手段をさらに具備する請求項１に記載の装置。
【請求項４】
ｅ．前記被検体のスライスの画像を使用する交差磁場補正係数を生成する手段と、
ｆ．第二の被検体の他の画像を補正すべく交差磁場補正係数を適用し、それによって、前記ＥＰＩ読み出し勾配パルスにより誘起される交差項磁場に起因する画像歪を低減する手段と
をさらに具備する請求項１に記載の装置。
【発明の詳細な説明】
【技術分野】
【０００１】
本発明は、磁気共鳴イメージング（ＭＲＩ）、特に高速エコープラナーイメージング（ＥＰＩ）技術に関する。
【背景技術】
【０００２】
ＥＰＩは、ＮＭＲデータの高速収集のための一般に用いられているＭＲＩ技術であり、それにおけるスキャン時間は、概して約１００ｍｓｅｃである。議論の単純化のために、Ｚ−軸がスライス選択方向として用いられ、Ｘ−軸が位相エンコード方向として用いられ、そしてＹ−軸が読み出し方向として用いられる。しかしながら、ここに説明された発明を用いるときには、他の配置が適用されても良い。
【０００３】
図１および図２に示されるように、従来のＥＰＩパルスシーケンスにおいては、スライス選択磁場勾配（Ｇｓｌｉｃｅ）１２と共に９０°ラジオ周波数（ＲＦ）励起パルス１０が、イメージングされる物体のイメージング平面における原子核を励起するため、イメージング平面、例えば、（Ｇｚ）、に垂直な軸に沿って印加される。原子核を空間的にエンコードするための励起パルスの後に、前記イメージング平面に対して平行な軸（Ｇｘ）に沿って、位相エンコード勾配（Ｇｐｈａｓｅ）１４および２４が印加される。同様に、ｋ−空間（未処理データ空間）の後続のスキャンを中心におくために、前記イメージング平面に平行で且つ位相エンコーディング勾配に直交する軸（Ｇｙ）に沿って、位相シフト勾配（Ｇｒｅａｄ）１６が、印加される。１８０°ＲＦリフェージングパルス１８は、励起された原子核からのスピンエコー（ＳＥ）レスポンス（ＡＤＣ）２０を生成するために印加される。スライス特定勾配１９も、前記１８０°ＲＦパルスと共に印加されても良い。
【０００４】
信号サンプリングの間、交互読み出し磁場勾配（Ｇｒｅａｄ）２２が、ｋ−空間をスキャンするために印加され、そして励起された原子核からＳＥ信号サンプル２０を収集する。前記読み出し勾配と協同して、連続的な位相エンコード勾配（Ｇｐｈａｓｅ）２４が、図３に示されるように、位相エンコード（Ｇｘ）方向に沿って移動させるスキャンを生じさせるべく、印加されてもよい。スキャントラジェクト２４は、交互読み出し勾配２２と連続位相エンコード勾配２４によってｋ−空間を通してのジクザグパターンを形成する。代わりに、位相エンコード勾配が、図４に示されている通り、ｋ−空間の行を通る各パスの後にスキャントラジェクトリ３０をシフトさせるべく前記読み出し勾配の反転と位置合わせされたブリップパルス２３として、印加されるようにしても良い。
【０００５】
図３および図４に示される通り、データは通常、ｋ−空間を通してのラスタスキャントラジェクトリにおけるＦＰＩシーケンスの期間にサンプリングされ、そこでは、読み出し勾配に対応する個々のスキャンラインは、順次にサンプリングされる。各スキャンライン３２がサンプリングされた後に、前記ｋ−空間トラジエクトリは、位相勾配方向に沿って次のスキャンライン３４にシフトされる。前記読み取り勾配２２の反転は、読み出し勾配に沿ってｋ−空間トラジェクトリに反転を生じさせる。前記トラジェクトリを反転することによって、ｋ−空間を通るスキャンは、ラインシーケンスによって、ライン上の読み出し勾配に沿い往復して進行し得る。
【０００６】
位相エンコード勾配２４，２８は、データ収集トラジェクトリのライン毎トラジェクトリに垂直である。位相エンコード勾配に平行なラインに沿うデータは、ｋ−空間の完全ナスキャンの経過の間にゆっくりと収集される。対照的に、前記読み出し勾配に平行な各ラインに沿って収集されるデータは、スキャンシラジェクトリが、スキャンシラジェクトリの一つのラインを通過するにつれて、速やかに収集される。したがって、位相エンコード勾配方向におけるデータは、読み出し勾配方向に沿って集められるデータよりもより遅い速度で収集される。
【０００７】
読み出し勾配期間中に収集されるＮＭＲ信号サンプルは、フーリエ変換のような、従来の数学的技術を用いて、ｋ−空間領域から空間領域へ変換されてもよい。前記空間領域におけるデータは、イメージングのために選択されたスライスに対応する物体の断面のＮＭＲ画像を生成するために使用される。
【０００８】
ＥＰＩシーケンスを用いて生成される画像は、磁場不均一性およびＭＲＩシステムの他の異常によって生起される歪およびアーチファクトを受け易い。ＥＰＩシーケンスを用いて生成される高速画像については、位相エンコード方向に沿った画像歪は、該方向に沿う相対的に遅いデータサンプリングレート故に、特に深刻である。
【０００９】
誘起される磁場歪は、画像歪の発生源である。誘起磁場歪は、ＭＲイメージングシーケンス、ＥＰＩシーケンスにおいてスイッチされる傾斜磁場によって磁場が誘起されるときに、生ずる。前記誘起される磁場は、誘起している傾斜磁場に直交するときに、交差磁場である。誘起される交差磁場歪は、ＭＲＩシステムにおける渦電流（ＥＣ）およびマクスウェルの電磁場から結果として生じ得る。例えば、ＥＰＩシーケンスの間に、誘起される交差磁場は、データサンプリング期間の間に高速でスイッチされる読み出し勾配によって、位相エンコード方向に沿って生じ得る。
【００１０】
位相エンコード方向に沿う（Ｇｐｈａｓｅ）相対的に遅いサンプリングレートを考慮して、スイッチされる読み出し勾配（Ｇｒｅａｄ）により誘起される傾斜交差磁場が、位相エンコード方向に沿う実質的な画像歪を結果として生じ得る。画像歪は、読み出し勾配がデータサンプリングの間繰り返し反転されるＥＰＩシーケンスから生成される画像において特に深刻である。画像歪、特に誘起される交差磁場が読み出し勾配によって生成される、ＥＰＩシーケンスから結果として生じる歪を作る、誘起された交差磁場を補償するための技術が長い間必要とされていた。
【発明の開示】
【発明が解決しようとする課題】
【００１１】
誘起された交差磁場に起因する画像データにおける歪、そして特にスイッチされる読み出し勾配によって生成される歪、について補償するための技術が開発された。前記補償技術は、誘起された交差磁場に起因する画像における歪が実質的に低減することを可能とする。誘起された交差磁場歪は、位相エンコード勾配に対応する方向に沿って、しばしば深刻である。前記補償技術は、位相エンコード方向に沿う画像歪の低減に最も有用である。
【課題を解決するための手段】
【００１２】
前記補償技術は、最初に、誘起された交差磁場を、好ましくはファントム被検体をイメージングすることによって、測定することを含む。ファントムにおける前記誘起された交差磁場の影響の測定は、交差項補正係数を生成するために用いられる。この係数は受診者の身体の信号サンプリングの間に誘起される交差磁場に起因する画像歪およびアーチファクトを低減するために使用される。
【００１３】
一つの態様においては、本発明は、磁気共鳴イメージング（ＭＲＩ）システムにおける勾配誘起された交差項磁場を決定するための装置であって：
ａ．被検体が中に配置される静磁場を形成する手段と、
ｂ．前記被検体のスライスの原子核を空間的に飽和させるラジオ周波数（ＲＦ）飽和パルスを被検体に印加する手段と、
ｃ．前記ラジオ周波数（ＲＦ）飽和パルスが被検体に印加された後に、前記被検体のスライスの画像を形成するためにエコープラナーイメージング（ＥＰＩ）シーケンスを適用する手段とを具備する装置。
【発明を実施するための最良の形態】
【００１４】
図５に示されるように、ＭＲイメージングシステム４０は、典型的には、静磁場（Ｂ０）をかけるための磁石４２、三つのそれぞれ直交する座標に沿う勾配を有する空間的に分布される傾斜磁場（Ｇｘ，Ｇｙ，およびＧｚ）をかけるための勾配コイル４４、ならびにイメージングされる物体の選択された原子核へＲＦ信号を送信し、該原子核からＲＦ信号を受信するためのＲＦコイル４６を含む。受診者４８は、イメージングされるべき受診者の部位が、該ＭＲＩシステムの視野（ＦＯＶ）を定義する、磁石とコイルの間の「イメージングボリューム」内となるように、受診者寝台５０上に横たわる。
【００１５】
勾配コイル４４の動作によって生成される電磁場は、前記イメージングボリュームにおける交差磁場を誘起し得る。誘起される交差磁場の大きさは、勾配コイルのスイッチングおよび該コイル内の電流に依存する。誘起される交差磁場は、エコープラナーイメージング（ＥＰＩ）シーケンスの信号サンプリングの間、読み出し勾配（Ｇｒｅａｄ）の極性が繰り返し反転されるように、勾配コイルが高速にスイッチされるかぎり、相対的に大きくてよい。前記誘起される交差磁場は、前記イメージングボリューム内の物体の原子核のフェージングに作用し、それによってＭＲイメージングについて集められるＮＭＲ信号に影響する。
【００１６】
図６は、交差項磁場補正係数を生成するための方法の図である。該方法は、誘起される交差項磁場、そして特にスイッチされる読み出し勾配によって引き起こされるものについて補正する。ステップ５４において、ＮＭＲ信号データへの影響を隔離するために、前記イメージングボリュームのアイソセンタにファントム試料が配置される。ファントム試料は、ベビーオイルのような水素を多量に含有する流体によって満たされた容器であっても良い。ファントムの一例は、ベビーオイルで満たされた１０ｃｍ×１０ｃｍ×３０ｃｍの直方体柱状容器である。前記ファントム被検体は、後に受診者をイメージングするのに用いられるであろうものと同一のＥＰＩシーケンスでイメージングされる。特に、前記ファントム被検体は、後に受診者をイメージングするときに用いられるものと同一の読み出し勾配反転レートおよびサンプリング期間を用いるＥＰＩシーケンスによってイメージングされ得る。
【００１７】
前記交差項の計測は、励起ライン技術５８または飽和ライン技術６０を用いてなされ得る。さらにまた、励起ライン技術５８は、交差項のみが測定される一ライン励起６２、または交差項と読み出し勾配トラジェクトリタイミングの両者が測定される二ライン励起６４として実行され得る。前記一および二ライン励起およびライン飽和技術は、各々から交差項磁場補正係数（ＢＩ（Ｙ））６８が生成される。
【００１８】
補正係数（ＢＩ（ｙ））は、後に、受診者をスキャンする際に集められたデータを補正するために適用される。前記ファントム試料によって生じる誘起交差項は、受診者がイメージングされるときに生じるであろう誘起交差項と実質的に同一であると仮定される。それ故、ファントム試料を用いて生成される補正係数（ＢＩ（ｙ））は、受診者の画像データにおける交差項についての補正に適用することができる。補正係数（ＢＩ（Ｙ））９８は、受診者のＥＰＩスキャンから集められる未処理イメージングデータ７２を、従来の画像補正アルゴリズム７０を用いて、補正するために用いられる。補正された未処理画像データを用いて生成される画像は、誘起交差項磁場に起因するアーチファクトを大きく免れているはずである。
【００１９】
図７は、スイッチされたＥＰＩ読み出し勾配パルスによって誘起される交差磁場を計測するための修正されたスピンエコーＥＰＩシーケンス７４を示している。修正されたシーケンス７４は、スライス方向に沿うスライス選択勾配７８パルスと共に、空間的に選択的な９０°ＲＦ励起パルス７６と、読み出し方向に沿って空間的に選択的な１８０°ＲＦリフォーカスパルス８０と、前記９０°および１８０°ＲＦパルスの間に印加されるインクリメントされる位相エンコード勾配８９と、そしてＮＭＲ信号（ＡＤＣ）８６の収集の間に正および負の極性の間で交互する、スイッチされるＥＰＩ読み出し勾配８４とを含む。前記読み出し勾配パルスは、受信者の定常のＥＰＩイメージング応用におけるのと同一であってもよい。
【００２０】
修正されたＥＰＩシーケンス７４は、前記ＥＰＩ読み出し勾配パルス８４によって誘起される交差磁場を決定するために使用されるＮＭＲ信号データを収集するために用いられる。ファントム被検体のスライスは、前記スライス勾配７８の存在状態において印加される前記空間的に選択的な９０°パルス７６によって選択される。続いて、前記スライスからのラインが、読み出し方向に沿う勾配８８の存在状態において印加される空間的に選択的な１８０°ＲＦパルス８０によって選択される。好ましくは、前記選択されたラインは、前記スライス方向に沿って厚く、例えば約１ｃｍ（センチメートル）であり、そして前記読み出し方向に沿って薄く、例えば約２から３ｍｍ（ミリメートル）の範囲内である。前記選択された直線は、前記ラインの方向に沿ってインクリメントされる位相エンコード勾配パルス８９によって位相エンコードされる。
【００２１】
前記選択されたラインから収集されるＮＭＲ信号は、前記ＥＰＩスイッチされる読み出し勾配によって誘起される交差磁場の影響を証明する。直線が選択され且つファントム試料がイメージングされるから、前記ラインに沿うＮＭＲ周波数の変動は、前記スイッチされるＥＰＩ読み出し勾配パルスによって誘起される交差磁場に起因する。
【００２２】
前記励起ライン法５８は、誘起された交差磁場のみ、または前記交差磁場および前記ＥＰＩ読み出し勾配トラジェクトリの両者を測定するのに用いられ得る。前記誘起された交差磁場のみを測定するために、ＭＲＩシステムの前記アイソセンタを通過する単一のラインが選択される。前記ライン（群）は、そのために交差磁場が測定される方向、例えばＧｐｈａｓｅ、に沿って選択され且つ読み出しは、前記誘起される勾配パルス、例えば、Ｇｒｅａｄ、の方向に沿っている。
【００２３】
前記測定は、Ｓ（ｋｍ，ｔｎ）、但し、ｍ＝１，２，…，Ｍ、およびｎ＝１，２，…，Ｎで表現されるデータアレイを与える。このデータアレイにおいて、ｋｍは、位相エンコード勾配のｋ値であり、ｔｎは、ＥＰＩ読み出しウィンドウ内で各データ点が収集されたときの時間をあらわし、ＭおよびＮは、それぞれ、位相エンコードおよび読み出し次元に沿って収集されるデータ点の数である。データアレイＳ（ｋｍ，ｔｎ）は、スイッチされるＥＰＩ読み出し勾配のような、傾斜磁場によって誘起される交差磁場に起因するＮＭＲ信号の歪の情報を含む。
【００２４】
前記ＥＰＩ読み出し勾配のトラジェクトリと前記読み出し勾配によって誘起される交差磁場の両者が測定されると、そのときは二つの平行ライン６４が、対をなすデータアレイの収集のために選択される。前記ラインは、等しく、しかしそれぞれ＋Ｌおよび−Ｌだけ読み出し方向に沿ってアイソセンタから異なる方向にオフセットされる。前記ラインは、交差項、例えばＧｐｈａｓｅの方向に平行である。前記二つの選択されたラインに沿うＮＭＲデータの測定は、各アレイが選択されたラインの一方に対応する、二つのデータアレイ、Ｓ＋Ｌ（ｋｍ，ｔｎ）およびＳ−Ｌ（ｋｍ，ｔｎ）、を与える。
【００２５】
各ラインからの収集データは、まず、位相エンコード方向に沿って一次元（１Ｄ）フーリエ変換（ＦＴ）され、そしてそれから前記ＥＰＩ読み出し勾配トラジェクトリおよびＥＰＩ読み出し勾配により誘起される前記交差磁場を測定するためのさらなる処理ステップに供される。
【００２６】
前記ＥＰＩ読み出し勾配トラジェクトリの測定のために、前記位相エンコード方向に沿う１Ｄ  ＦＴの後に、位置Ｙｍおよび時間ｔｎに対応する瞬時周波数ｆ（Ｙｍ，ｔｎ）が、下の式１に従って信号位相から決定される。
【数１】
2007117765.tif 000003
【００２７】
式中、Ｓ′（Ｙｍ，ｔｎ−１）は、Ｓ（Ｙｍ，ｔｎ−１）の共役であり、そしてａｒｇ｛｝は、複素入力についての主位相値を返す。
【００２８】
前記勾配トラジェクトリは、式２に従って前記瞬時周波数から決定される。
【数２】
2007117765.tif 000004
【００２９】
式中、ｆ（Ｙｍ，ｔｎ）は、各データ点が前記選択されたラインに沿って収集されるとき、位置Ｙｍおよび時間ｔｎにおける前記瞬時周波数であり、そしてＬ（＋および−）は、アイソセンタからの前記選択されたラインのオフセットである。
【００３０】
前記ＥＰＩ読み出し勾配によって誘起される交差磁場を決定するために、前記交差磁場を表す縮小されたデータのアレイは、式３に示される通りの測定されたデータアレイから導かれる。
【数３】
2007117765.tif 000005
【００３１】
式中、ｔｐは、縮小されたデータアレイの対応する点が収集されたときの時間をあらわす。
【００３２】
サブアレイＳ（Ｙｍ，ｔｐ）は、各ＥＰＩエコーから中心点をとることによって導かれる。もしも、偶数および奇数の両エコーが、ＥＰＩ画像の製作に使用されると、前記サブアレイは、完全なＥＰＩエコー列のエコー中心点を表すデータからなる。
【００３３】
前記瞬時周波数は、式１に従って、しかし、その代わりに式４によってあらわされる通り縮小されたアレイを用いて再度計算される。
【数４】
2007117765.tif 000006
【００３４】
単一ライン測定６２の場合において、ＣＦ（Ｙｍ）を与えるためのｆ（Ｙｍ，ｔｐ）の１Ｄ  ＦＴの後に、瞬時周波数が、直接的に使用され且つ最小二乗法のようなアルゴリズムを用いてＹｍの多項関数に適合させられてもよい。適合からの多項関数は、選択されたラインに沿う中心周波数分布ＣＦ（Ｙｍ）をあらわし、それは交差磁場分布についての計測の方向にある。前記中心周波数分布は、γＢＩ（Ｙｍ）＝ＣＦ（Ｙｍ）、式中ＢＩは誘起された交差磁場をあらわす、によって誘起される交差磁場に関連している。
【００３５】
二重ライン測定６４の場合において、前記勾配トラジェクトリも測定されるとき、二つの対称的にシフトされたラインからの瞬時周波数の付加が使用され、Ｙｍの多項関数に適合され、再びｆ＋（Ｙｍ，ｔｐ）の１Ｄ  ＦＴの後、次のような、式５を用いて中心周波数分布（ＣＦ（Ｙｍ））を決定すべく、ＣＦ（Ｙｍ）を与えるために適合される。
【数５】
2007117765.tif 000007
【００３６】
図８は、前記スイッチされるＥＰＩ読み出し勾配パルスによって誘起される交差磁場を測定するための他の修正されたスピンエコーＥＰＩシーケンス９０を示している。当該シーケンスは、位相エンコード方向と読み出し方向の間に角度付けされたスピンのスライスを選択的に飽和させるための位相エンコード方向と読み出し方向の両者に沿う空間的に選択的である９０°ＲＦ励起パルス９２および勾配９４を含む。最初の９０°ＲＦパルス９２の後に、他の９０°ＲＦパルス９８を誘起する定常的なスピンエコーＥＰＩシーケンス９６が印加される。収集された２Ｄ  ＥＰＩ画像における暗いラインとして示す、飽和スライスの空間的分布、が誘起される交差磁場を示す。位相エンコード位置ΔXm(Xm)の関数としての位相エンコード位置変位ΔXmは、交差磁場を定量化するための多項関数に適合され得る。
【００３７】
データ収集および処理のための手順は、種々のラインまたは方向についてそしてＥＰＩ読み出し勾配波形の、受診者をイメージングすべくＭＲＩシステムによって使用される動作モードについて誘起される交差磁場をモデル化するために必要とされるほど、多くのバリエーションを伴って繰り返され得る。さらに、これらの手順は、ＭＲＩスキャナを特徴づけるべく適用されるシステム較正パッケージの一部であっても良い。これらの手順の結果は、システム使用パラメータの一部として格納されても良い。これらの手順の結果は、画像を補正し、または交差磁場に起因する画像歪またはアーチファクトを低減すべくシステムを調整するために適用されても良い。
【００３８】
前記ＥＰＩ読み出し勾配によって誘起される交差磁場は、静磁場不均一性と同じように位相エンコード方向に沿う画像歪内にあらわれる。したがって、交差磁場測定の結果は、Ｂ０不均一補正についてと同様のアルゴリズムを適用することによって画像補正のために使用され得る。Ｂ０不均一補正のアルゴリズムの例は、Ｃｈａｎｇ，Ｈ．およびＦｉｔｚｐａｔｒｉｃｋ，Ｊ．Ｍ．，「磁場不均一の存在状態における正確な磁気共鳴イメージングのための技術（A Technique for Accurate Magnetic Resonance Imaging in the Presence of Field Inhomogeneities）」，ＩＥＥＥ  Ｔｒａｎｓａｃｔｉｏｎｓ  ｏｎ  Ｍｅｄｉｃａｌ  Ｉｍａｇｉｎｇ  １１：３１９−３２９，１９９２年；Ｏ'Ｄｏｎｎｅｌｌ，  Ｍ．，およびＥｄｅｌｓｔｅｉｎ，Ｗ．Ａ．，「磁場不均一および傾斜磁場非線形性が存在する場合のＮＭＲイメージング（NMR Imaging in the Presence of Magnetic Field Inhomogeneities and Gradient Field Nonlinearities）」，Ｍｅｄ．Ｐｈｙｓ．１２：２０−２６，１９８５年；ならびにＳｅｋｉｈａｒａ，Ｋ．，Ｍａｔｓｕｉ，Ｓ．，およびＫｏｈｎｏ，Ｈ．，「大きな不均一性を有する磁石のためのＮＭＲイメージング（NMR Imaging for Magnets with Large Nonuniformities）」，ＩＥＥＥ  Ｔｒａｎｓａｃｔｉｏｎｓ  ｏｎ  Ｍｅｄｉｃａｌ  Ｉｍａｇｉｎｇ  ＭＩ−４：１９３−１９９，１９８５年に述べられている。不均一性補正手順はＥＰＩ画像歪を低減するための交差項補正と共に適用されても良い。
【００３９】
本発明は、現時点で最も現実的でかつ好ましいと考えられる実施の形態に関連して説明されてきており、本発明は、開示された実施の形態に限定されるべきでなく、添付された特許請求の範囲の精神および視野の範囲内においてもたらされる種々の変更および等価的な構成を包含することを意図している。
【図面の簡単な説明】
【００４０】
【図１】図１は、連続的な位相エンコード勾配による従来のスピンエコー二次元（２Ｄ）ＥＰＩパルスシーケンスを示すシーケンス図である。
【図２】図２は、ブリップされた位相エンコード勾配パルスによる従来のスピンエコー２Ｄ  ＥＰＩパルスシーケンスを示すシーケンス図である。
【図３】図３は、図１に図示された通りの、連続的な位相エンコード勾配によるＥＰＩシーケンスによってサンプリングされたｋ−空間トラジェクトリを示す図である。
【図４】図３は、図２に図示された通りの、ブリップされた位相エンコード勾配による標準ＥＰＩシーケンスによってサンプリングされたｋ−空間トラジェクトリを示す図である。
【図５】図５は、ＭＲＩシステムの概略図である。
【図６】図６は、交差項磁場補正係数を生成し且つ適用することにおけるステップを一般的に示すフロー図である。
【図７】図７は、スイッチされるＥＰＩ読み出し勾配パルスによって誘起される交差磁場を測定するための修正されたＥＰＩパルスシーケンスを示すシーケンス図である。
【図８】図８は、スイッチされるＥＰＩ読み出し勾配パルスによって誘起される交差磁場を測定するための他の修正されたＥＰＩパルスシーケンスを示すシーケンス図である。
【符号の説明】
【００４１】
５４  アイソセンタにおける位置ファントム試料
５６  誘起された交差項磁場を計測
５８  励起ライン技術
６０  飽和ライン法
６２  １ライン
６４  ２ライン
６６  勾配トラジェクトリ係数Ｋ（ｔ）
６８  交差項磁場補正係数ＢＩ（ｙ）を発生
７０  ＢＩ（ｙ）を用いて画像補正を適用
７２  受診者をスキャンして未処理ＥＰＩ画像データを収集
７３  ＮＭＲ画像を生成
【図１】
2007117765.tif 000008
【図２】
2007117765.tif 000009
【図３】
2007117765.tif 000010
【図４】
2007117765.tif 000011
【図５】
2007117765.tif 000012
【図６】
2007117765.tif 000013
【図７】
2007117765.tif 000014
【図８】
2007117765.tif 000015